(57)【要約】【課題】均一的な給水を可能としながらも製造が容易であり安価な緑化促進部材及び植生基体を提供すること。【解決手段】本発明の緑化促進部材２は、吸水性繊維を含む不織布によって形成され帯状または筒状を呈することを特徴とし、前記不織布はレーヨンを含んでいてもよく、前記不織布は前記吸水性繊維よりも分解速度の遅い耐蝕性繊維を含んでいてもよく、前記不織布はポリエステルを含んでいてもよく、また、本発明の植生基体は、緑化促進部材２を装着したものである。【選択図】図１
2013130059.tif 000002
【特許請求の範囲】
【請求項１】
吸水性繊維を含む不織布によって形成され帯状または筒状を呈することを特徴とする緑化促進部材。
【請求項２】
前記不織布はレーヨンを含む請求項１に記載の緑化促進部材。
【請求項３】
前記不織布は前記吸水性繊維よりも分解速度の遅い耐蝕性繊維を含む請求項１または２に記載の緑化促進部材。
【請求項４】
前記不織布はポリエステルを含む請求項３に記載の緑化促進部材。
【請求項５】
請求項１〜４の何れか一項に記載の緑化促進部材を装着した植生基体。
【発明の詳細な説明】
【技術分野】
【０００１】
本発明は、例えば、法面などの緑化に用いられる緑化促進部材及び植生基体に関する。
【背景技術】
【０００２】
植物の成長には水分が欠かせないが、法面の緑化を図る場合、法面の排水性は一般的に高いため、特に夏期など乾燥の影響を受けやすい時期に緑化用植物が水分不足に陥ることが多い。
【０００３】
そこで、緑化用植物に対して必要な水分の補給を可能とすることを一つの目的とした植生基体が使用されている。例えば、特許文献１には、法面上に張設される網状体に、保水材を収容した袋を括りつけるようにした緑化用植生基体が開示されている。
【先行技術文献】
【特許文献】
【０００４】
【特許文献１】特開平５−１４８８４８号公報
【発明の概要】
【発明が解決しようとする課題】
【０００５】
これまで使用されていた特許文献１に示すような植生基体は、粒状の保水材（高分子吸収剤）を袋内に収容するものであり、袋に保水材を収容する手間が掛かり、安価ともいえない。また、保水材が袋内で偏ってしまうことも考えられ、その場合、水分補給が過多または過少となるエリアの発生、増大を招来する恐れがある。
【０００６】
本発明は上述の事柄に留意してなされたもので、その目的は、均一的な給水を可能としながらも製造が容易であり安価な緑化促進部材及び植生基体を提供することにある。
【課題を解決するための手段】
【０００７】
上記目的を達成するために、本発明に係る緑化促進部材は、吸水性繊維を含む不織布によって形成され帯状または筒状を呈することを特徴としている（請求項１）。
【０００８】
上記緑化促進部材において、前記不織布はレーヨンを含んでいてもよい（請求項２）。
【０００９】
上記緑化促進部材において、前記不織布は前記吸水性繊維よりも分解速度の遅い耐蝕性繊維を含んでいてもよい（請求項３）。
【００１０】
上記緑化促進部材において、前記不織布はポリエステルを含んでいてもよい（請求項４）。
【００１１】
一方、上記目的を達成するために、本発明に係る植生基体は、請求項１〜４の何れか一項に記載の緑化促進部材を装着する（請求項５）。
【発明の効果】
【００１２】
本願発明では、均一的な給水を可能としながらも製造が容易であり安価な緑化促進部材及び植生基体が得られる。
【００１３】
すなわち、本願の各請求項に係る発明の緑化促進部材では、例えば不織布を帯状にカットするあるいは筒状に形成された不織布を所定長さ分カットするだけで容易に得られるものであり、安価なものとすることができる。また、粒状の保水材を収容した袋が装着される従来の植生基体では、袋内で保水材が偏り均一な給水が実現されない恐れがあるが、本発明の緑化促進部材では、粒状の保水材を用いず、帯状または筒状の不織布を用いるので、上記のような偏りは生じず、均一的な給水を確実に実現することができる。
【００１４】
請求項３、４に係る発明の緑化促進部材では、吸水性繊維と耐蝕性繊維との併用により、吸水機能とその機能の維持との両立を容易に図ることができる。
【図面の簡単な説明】
【００１５】
【図１】本発明の一実施の形態に係る植生基体の構成を概略的に示す説明図である。
【発明を実施するための形態】
【００１６】
本発明の実施の形態について図面を参照しながら以下に説明する。
【００１７】
図１に示す植生基体は、例えば横１ｍ×縦２０ｍの平面視長方形の植生マット１と、この植生マット１に装着される緑化促進部材２とを具備している。
【００１８】
植生マット１は、ネット３の下面に植生シート４を重合してなるものである。ここで、ネット３の材質としては、年月の経過とともに土壌化する必要があるときは、天然繊維や生分解性プラスチックの繊維を使用し、表層土の流動や侵食防止効果を半永久的に確保したい場合には、ポリエチレン、ナイロン等の繊維を使用すればよい。
【００１９】
植生シート４は、スフ等の薄綿状シート４ａに、植生種子、肥料、土壌改良材等の植生基材４ｂを担持させたものである。薄綿状シート４ａは、シート状の薄綿（綿花を意味しているのではなく、薄い綿状のものを意味している）であることが望ましいが、不織布や紙のようなものであってもよく、この薄綿状シート４ａは植物の通芽や通根を妨げない程度の強度を有するものであり、その平均厚みを０．１〜１０ｍｍ、望ましくは、０．５〜５ｍｍに設定することで、浸食防止機能を有しながらも植物を地面に根付かせ易くすることができる。
【００２０】
そして、ネット３と植生シート４とは積層状態で一体化されて植生マット１を構成するのであり、その一体化は、例えば植生シート４の薄綿状シート４ａの繊維をネット３に絡み付かせることによって行ってもよいし、ネット３と植生シート４とを少量の水溶性接着剤で接着することによって行ってもよく、両方の手段を併用するようにしてもよい。薄綿状シート４ａの繊維をネット３に絡み付かせる方法としては、ネット３と植生シート４とを積層した状態でローラ間に通して加圧することにより、薄綿状シート４ａの繊維をネット３に絡み付かせる方法や、薄綿状シート４ａ側から空気を吹きつけたり、ネット３側から空気を吸引したりすることにより、薄綿状シートの繊維をネット３側に起毛させてネット３に絡みつかせる方法が考えられる。
【００２１】
また、ネット３には、緑化促進部材２を展張した状態で収容可能な筒状のポケット部５が長手方向に一定の間隔おきに形成されている。
【００２２】
緑化促進部材２は、吸水性繊維と、吸水性繊維よりも分解速度の遅い耐蝕性繊維とを含む不織布によって形成され帯状（例えば長さＬが１０５ｃｍで幅Ｗが５ｃｍの短冊状）を呈する部材である。そして、緑化促進部材２の長さＬを植生マット１のポケット部５の長さ（植生マット１の横幅）Ｘとほぼ同一長さとすることができ、本例では緑化促進部材２をポケット部５よりも若干長くしてある。
【００２３】
本例の緑化促進部材２を構成する不織布は、吸水性繊維としてレーヨンを６０％含み、耐蝕性繊維（非分解性繊維）としてのポリエステルを４０％含むものであり、目付けは１００〜３００ｇ／ｍ2 （特に１５０ｇ／ｍ2 位が好ましい）、厚みは２〜１０ｍｍとなっている。
【００２４】
不織布を構成する吸水性繊維の比率が大きくなると、吸水（保水）機能が向上する反面、全体としての分解速度が速まり吸水機能を長期間維持することができなくなり、逆に耐蝕性繊維の比率が大きくなると、全体としての分解速度が遅くなり形状及び吸水機能は長期間維持されるが吸水機能は劣ることになる。従って、不織布を構成する吸水性繊維と耐蝕性繊維の比率は、吸水機能と機能維持との双方を満足することができる範囲で設定することが好ましい。
【００２５】
植生マット１に対する緑化促進部材２の装着は、例えば緑化促進部材２を植生マット１の各ポケット部５に一つずつ挿入し、その両端をステープラー（図示していない）で植生マット１に連結することによって行うことができる。
【００２６】
上記のように構成される植生基体を例えば法面緑化に用いる場合には、各ポケット部５が法面の等高線にほぼ沿うように植生基体を法面上に配置し、アンカーピン等の適宜の部材で固定すればよい。そして、この場合、植生基体は、法面における凹凸に対応して柔軟に変形できる程度の柔軟性を有するものであることが望ましい。また、植生シート４は、雨水などを吸収することにより、ネット３から速やかに離脱し、地表面に密着するように構成してあることが望ましい。
【００２７】
ここで、法面に植生基体を設置する場合、展開した植生基体に占める緑化促進部材２の面積比率（設置率）は、１ｍ2 当たり０．０５〜０．８ｍ2 （より好ましくは、０．１〜０．５ｍ2 ）の範囲とすることが好ましい。上記範囲を下回ると緑化促進部材２による緑化（植生）促進効果が乏しくなり、上回ると十分な緑化面積の確保が困難となる。また、上記範囲を本例の緑化促進部材２（長さＬが１０５ｃｍで幅Ｗが５ｃｍの短冊状とした場合）に当て嵌めると、１ｍ2 当たり１〜１６本程度（より好ましくは２本〜１０本程度）設けることになるが、緑化促進部材２の取付けに掛かる手間等も考慮すると、１ｍ2 当たり２〜５本程度とすることが最も好ましい。そして、緑化促進部材２の設置率を調節するには、緑化促進部材２の長さＬ、幅Ｗ、植生マット１におけるポケット部５の配置（隣り合うポケット部５、５の間隔）や数等を調節すればよいことはいうまでもない。
【００２８】
上記の構成からなる緑化促進部材２は、例えば不織布を帯状（短冊状）にカットするだけで容易に得られるものであり、安価なものとすることができる。また、粒状の保水材を収容した袋が装着される従来の植生基体では、袋内で保水材が偏り均一な給水が実現されない恐れがあるが、本実施形態の緑化促進部材２では、粒状の保水材を用いず、帯状の不織布を用いるので、上記のような偏りは生じず、均一的な給水を確実に実現することができる。
【００２９】
そして、上記の緑化促進部材２を用いる本実施形態の植生基体は、図１に示すように、植生マット１のポケット部５によって緑化促進部材２を安定性良く保持して、緑化促進部材２による均一的な給水を確実に行わせることができる。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
緑化促進部材２は帯状（短冊状）のものに限られず、例えば筒状（平面視帯状）を呈するものや、１枚の帯（あるいは短冊）を折り畳んだもの等であってもよい。
【００３２】
緑化促進部材２の不織布を構成する吸水性繊維には、レーヨン以外に、再生セルロース繊維、綿、ウール、やし繊維などを用いることができ、耐蝕性繊維には、ポリエステル以外のポリプロピレン、ポリエチレン等の非分解性繊維、ポリ乳酸繊維等の生分解性プラスチック繊維、羊毛等の動物性繊維、やし繊維や竹繊維等の強度のある植物性繊維などを用いることができる。やし繊維は、吸水性繊維としても耐蝕性繊維としても用いることができるので、不織布をやし繊維のみから構成してもよい。また、吸水性繊維あるいは耐蝕性繊維の少なくとも何れか一方を２種以上用いるようにしてもよい。
【００３３】
また、緑化促進部材２を、吸水性繊維のみからなる不織布によって形成してもよく、例えば、レーヨン１００％の不織布を用いて緑化促進部材２を形成してもよい。
【００３４】
上記実施形態では、緑化促進部材２を構成する不織布の目付けを１００〜３００ｇ／ｍ2としているが、これに限らず、不織布を構成する繊維によって１００〜９００ｇ／ｍ2 の範囲で設定すればよく、例えばレーヨン１００％の不織布を用いる場合には、目付量を８５０ｇ／ｍ2 程度とすることが考えられる。
【００３５】
植生シート４の薄綿状シート４ａとして、例えば吸水性に優れた素材であるレーヨンからなる繊維に、耐蝕性のある素材であるポリ乳酸繊維（例えば商品名「ラクトロン」などの生分解性プラスチック）からなる繊維をそれぞれ５０％ずつの割合で混合したものや、この混合の比率を変えることにより薄綿状シート４ａが所望の分解速度で分解し、かつ、所望の吸水性を有するものとしたものを用いるようにしてもよく、薄綿状シート４ａを構成する繊維の素材は種々に変更可能である。
【００３６】
上記実施形態では、ステープラーによって緑化促進部材２を植生マット１に取り付けているが、植生マット１に対する緑化促進部材２の装着方法はこれに限らない。例えば、緑化促進部材２をポケット部５よりも長めに形成し、緑化促進部材２をポケット部５に挿入したときにポケット部５の両端から緑化促進部材２の両端がはみ出すようにし、はみ出した部分を植生マット１の下面側に折り返して植生マット１の下側に敷きこむようにしてもよい。
【００３７】
上記実施形態では、ネット３にポケット部５を設け、ポケット部５に緑化促進部材２を挿入し取り付けるようにしているが、これに限らず、例えば、ネット３と植生シート４とを一体化して植生マット１を形成する際に、ネット３と植生シート４の間に緑化促進部材２を挟み込んだ状態としておき、緑化促進部材２が当初から植生マット１と一体化されているようにしてもよい。
【００３８】
なお、上記変形例どうしを適宜組み合わせてもよいことはいうまでもない。
【符号の説明】
【００３９】
１    植生マット
２    緑化促進部材
３    ネット
４    植生シート
４ａ  薄綿状シート
４ｂ  植生基材
５    ポケット部
Ｌ    緑化促進部材の長さ
Ｗ    緑化促進部材の幅
Ｘ    ポケット部（植生マット）の長さ
【図１】
2013130059.tif 000003